(57)【要約】【課題】箱本体内における端子金具の熱干渉を効果的に防止することができる電気接続箱を提供する。【解決手段】電気接続箱１は、箱本体１０と蓋体２０と端子金具３０とを備えている。端子金具３０は、電気接触部３１に電線接続部３２を折曲連成した構成となっている。箱本体１０には、端子金具３０の電気接触部３１を電気的に接続するための端子接続部１４が設けてある。箱本体１０の互いに隣接していない側壁１０Ａ，１０Ｂの近傍に一対の端子接続部１４，１４をそれぞれ設けるとともに、これら端子接続部１４，１４に一対の端子金具３０，３０をそれぞれ取り付けたときに、箱本体１０及び蓋体２０の外側に露出した各端子金具３０の電線接続部３２，３２をそれぞれ覆う一対のカバー部材５０，５０を有する。【選択図】図１
2007189864.tif 000002
【特許請求の範囲】
【請求項１】
他の部材と電気的に接続される電気接触部と、前記電気接触部に連なりかつ電線と接続する電線接続部とを備えた端子金具と、
前記端子金具の電気接触部と他の部材とを電気的に接続させる端子接続部を設けた箱本体と、を備えた電気接続箱において、
前記箱本体を形成する側壁のうちの互いに隣接していない複数の側壁の近傍にそれぞれ前記端子接続部を設けたことを特徴とする電気接続箱。
【請求項２】
前記端子接続部を、前記箱本体の互いに対向する一対の側壁それぞれの近傍に設けたことを特徴とする請求項１記載の電気接続箱。
【請求項３】
前記端子接続部を、前記箱本体の互いに対向する一対の側壁それぞれの近傍であって、互いに反対側の位置に設けたことを特徴とする請求項１記載の電気接続箱。
【請求項４】
前記端子接続部に前記端子金具をそれぞれ取り付けたときに、前記箱本体の外側に露出した各端子金具の電線接続部を覆う複数のカバー部材を備えたことを特徴とする請求項１ないし請求項３のうちいずれか一項に記載の電気接続箱。
【請求項５】
前記カバー部材と前記箱本体とのうち一方に摺動片を設け、かつ他方に前記摺動片がスライド自在に侵入する摺動溝を設けて、
前記カバー部材を前記箱本体にスライド嵌合自在としたことを特徴とする請求項４記載の電気接続箱。
【請求項６】
前記端子接続部を前記箱本体内に立設したボルトとするとともに、前記端子金具の電気接触部に前記ボルトを通す挿通孔を形成し、
前記端子金具を前記カバー部材に固定することにより、前記カバー部材を前記箱本体にスライド嵌合させたとき、前記端子金具の電気接触部の挿通孔に前記ボルトが挿通されることを特徴とする請求項５記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、バスバーなどを有することもあることから、ヒューズブロック、リレーボックス、又は総称して電気接続箱とも呼ばれる。本明細書では、前述したヒューズブロック、リレーボックス、ジャンクションブロックを、総称して以下、電気接続箱（例えば、特許文献１〜３参照）と呼ぶ。
【０００５】
特許文献１及び２に示された電気接続箱はいずれも、外郭を形成する箱本体と、配線盤と、箱本体に取り付けられる蓋体などを備えている。箱本体には、ヒューズ、リレーなどの電気部品が装着されるとともに、バスバーなどからなる内部回路が収納されている。
【０００６】
この内部回路には、バッテリ等からの電源入力部としての端子接続部が設けてあり、この端子接続部には、ＬＡ端子（丸形板端子）などの端子金具を介して、外部から箱本体内に引き込まれた電線が接続されている。
【０００７】
端子接続部は、箱本体から立設し、前述したバスバーの一部に貫通されたボルトである。一方、端子金具は、中心に前記ボルトの挿通孔を設けた電気接触部と、この電気接触部から折曲連成した前記電線との電線接続部とを備えた構成となっている。端子接続部に端子金具の電気接触部を挿通し、ナットで締結することにより、これら端子接続部と端子金具とを電気的に接続している。
【０００８】
また、特許文献１及び２に示された電気接続箱はいずれも、箱本体内において、電線接続部と端子金具とを包囲する防水壁を形成した構成となっており、これら電線接続部と端子金具との接続エリアへの雨水等の侵入を防止していた。
【０００９】
一方、引用文献３には、箱本体の外側に端子接続部と端子金具とを収納する箱状の取付部を突設した構成の電気接続箱が提案されている。
【特許文献１】特開平１１−１７８１５９号公報
【特許文献２】特開２００１−１０２７６８号公報
【特許文献３】特開２００１−５２７７２号公報
【発明の開示】
【発明が解決しようとする課題】
【００１０】
しかし、近年、車両に搭載される装備が増加し、電気接続箱に供給される通電電流値も増大する傾向にある。このため、端子金具の全体を箱本体内に収納する構成の引用文献１及び２の電気接続箱では、断面積が２０ｍｍ2以上の大径電線を使用すると、箱本体内で端子金具が発熱し、箱本体内の内部回路を加熱してしまう。特に、複数本の大径電線を箱本体内に引き込んで各端子金具により接続する場合は、箱本体内における各端子金具の発熱量が増大してしまう。
【００１１】
また、前述した引用文献１及び２の電気接続箱では、箱本体内において、端子接続部と端子金具とを防水壁により包囲する構成となっていたので、この防水壁内に端子金具の熱が籠もってしまい、端子金具自体が熱により破損してしまうおそれもある。さらに、電線接続部（ボルト）を防水壁により包囲しているので、この防水壁が、端子接続部を端子金具の挿通孔内に挿通する作業の邪魔となっていた。
【００１２】
なお、前述した引用文献３の電気接続箱では、箱本体の外側に突設した取付部に端子接続部と端子金具とを収納する構成となっているので、箱本体内における端子金具の熱干渉の問題は生じないが、電線接続部と端子金具との防水性に問題があり、また、箱本体の内部回路を形成するバスバーを箱本体の外側へ引き出さなければならず、バスバーの配索経路が複雑になってしまう。
【００１３】
したがって、本発明の目的は、箱本体内での端子金具同士の熱干渉を効果的に防止できる電気接続箱を提供することにある。
【課題を解決するための手段】
【００１４】
前記課題を解決し目的を達成するために、請求項１に記載の本発明の電気接続箱は、他の部材と電気的に接続される電気接触部と、前記電気接触部に連なりかつ電線と接続する電線接続部とを備えた端子金具と、前記端子金具の電気接触部と他の部材とを電気的に接続させる端子接続部を設けた箱本体と、を備えた電気接続箱において、前記箱本体を形成する側壁のうちの互いに隣接していない複数の側壁の近傍にそれぞれ前記端子接続部を設けたことを特徴としている。
【００１５】
請求項２に記載の本発明の電気接続箱は、請求項１記載の電気接続箱において、前記端子接続部を、前記箱本体の互いに対向する一対の側壁それぞれの近傍に設けたことを特徴としている。
【００１６】
請求項３に記載の本発明の電気接続箱は、請求項１記載の電気接続箱において、前記端子接続部を、前記箱本体の互いに対向する一対の側壁それぞれの近傍であって、互いに反対側の位置に設けたことを特徴としている。
【００１７】
請求項４に記載の本発明の電気接続箱は、請求項１乃至請求項３のうちいずれか一項に記載の電気接続箱において、前記端子接続部に前記端子金具をそれぞれ取り付けたときに、前記箱本体の外側に露出した各端子金具の電線接続部を覆う複数のカバー部材を備えたことを特徴としている。
【００１８】
請求項５に記載の本発明の電気接続箱は、請求項４に記載の電気接続箱において、前記カバー部材と前記箱本体とのうち一方に摺動片を設け、かつ他方に前記摺動片がスライド自在に侵入する摺動溝を設けて、前記カバー部材を前記箱本体にスライド嵌合自在としたことを特徴としている。
【００１９】
請求項６に記載の本発明の電気接続箱は、請求項５記載の電気接続箱において、前記端子接続部を前記箱本体内に立設したボルトとするとともに、前記端子金具の電気接触部に前記ボルトを通す挿通孔を形成し、前記端子金具を前記カバー部材に固定することにより、前記カバー部材を前記箱本体にスライド嵌合させたとき、前記端子金具の電気接触部の挿通孔に前記ボルトが挿通されることを特徴としている。
【００２０】
請求項１に記載した本発明の電気接続箱によれば、箱本体を形成する側壁のうちの互いに隣接していない複数の側壁の近傍にそれぞれ端子接続部を設けているので、これら端子接続部を箱本体内における離れた位置に配置することができる。これにより、各端子金具の相互間の熱干渉を減少させることができる。また、箱本体の側壁近傍に各端子接続部を設けているので、これら端子接続部に各端子金具の電気接触部を接続したときに、各端子金具の電線接続部が箱本体の外側に露出する。これにより、各端子金具の熱を外部に放出することができ、各端子金具の発熱を低減することが可能となる。
【００２１】
請求項２に記載した本発明の電気接続箱によれば、端子接続部を、箱本体の互いに対向する一対の側壁の近傍に設けてあるので、端子金具を箱本体内における離れた位置に配置して、互いの熱干渉を低減することができる。
【００２２】
請求項３に記載した本発明の電気接続箱によれば、端子接続部を、箱本体の互いに対向する一対の側壁の近傍であって、互いに反対側の位置に設けてあるので、端子金具を箱本体内のより離れた位置に配置して、互いの熱干渉をさらに低減することができる。
【００２３】
請求項４に記載した本発明の電気接続箱によれば、外部に露出した各端子金具の電線接続部をそれぞれカバー部材で覆うことにより、各端子金具と端子接続部の防水を図ることができる。
【００２４】
請求項５に記載した本発明の電気接続箱によれば、カバー部材をスライド嵌合させて容易に箱本体に装着させることができ、電気接続箱の組み立てが簡単となる。
【００２５】
請求項６に記載した本発明の電気接続箱によれば、予めカバー部材に端子金具（又は、この端子金具に取り付けた電線）を固定することにより、カバー部材を箱本体に装着させると同時に、端子金具の電気接触部を端子接続部（ボルト）に組み付けることができ、両者の組み付け作業が容易となる。
【発明の効果】
【００２６】
以上説明したように請求項１に記載の本発明では、複数の端子接続部を箱本体内における離れた位置に配置することができ、これら端子接続部に接続される各端子金具の相互間の熱干渉を減少させることができる。また、各端子金具の電線接続部を箱本体の外部に露出させることにより、これら端子金具の発熱を低減することができる。したがって、箱本体内での端子金具同士の熱干渉を効果的に防止することができる。
【００２７】
請求項２に記載の本発明では、端子接続部を箱本体の互いに対向する一対の側壁の近傍に設けてあるので、端子金具を箱本体内の離れた位置に配置して、互いの熱干渉を低減することができる。
【００２８】
請求項３に記載の本発明では、端子接続部を箱本体の互いに対向する一対の側壁の近傍であって、互いに反対側の位置に設けてあるので、端子金具を箱本体内のより離れた位置に配置して、互いの熱干渉をさらに低減することができる。
【００２９】
請求項４に記載の本発明では、外部に露出した各端子金具の電線接続部をそれぞれカバー部材で覆うことにより、各端子金具と端子接続部の防水を図ることができる。
【００３０】
請求項５に記載の本発明では、カバー部材をスライド嵌合させて容易に箱本体に装着させることができるので、電気接続箱の組み立てが簡単となる。
【００３１】
請求項６に記載の本発明は、予めカバー部材に端子金具（又は、この端子金具に取り付けた電線）を固定することにより、カバー部材を箱本体に装着させると同時に、端子金具の電気接触部を端子接続部（ボルト）に組み付けることができるので、両者の組み付け作業が容易となる。したがって、電気接続箱の組立作業が容易になる。
【発明を実施するための最良の形態】
【００３２】
以下、本発明の一実施形態に係る電気接続箱を、図１ないし図３に基づいて説明する。これら図面に示す本実施形態に係る電気接続箱１は、移動体としての自動車に搭載される。
【００３３】
図１〜図３において、本実施形態の電気接続箱１は、箱本体１０と、この箱本体内に収納された内部回路としての配線盤と、蓋体２０と、一対の端子金具（ＬＡ端子）３０，３０と、一対の電線４０，４０と、一対のカバー部材５０，５０とを備えている。
【００３４】
箱本体１０は、絶縁性の合成樹脂からなり、周知の射出成形により成形される。箱本体１０は、長短四つの側壁１０Ａ，１０Ｂ，１０Ｃ，１０Ｄ及び底壁及び天井壁などにより、長方形の箱状に形成されている。
【００３５】
箱本体１０の互いに対向する（隣接していない）一対の側壁１０Ａ，１０Ｂの中央には、略逆Ｕ字状の係止部１０ａ，１０ａが一体成形されている。これら係止部１０ａ，１０ａは、蓋体２０に形成された箱状の係止部２０ａ，２０ａに対応して設けられ、蓋体２０を箱本体１０に被せたときに、これら箱状の係止部２０ａ，２０ａの内部に挿入されて弾性的に係合するようになっている。
【００３６】
このような箱本体１０の天井壁には、リレー１１、ヒューズ１２などの電気部品が装着される。箱本体１０の底壁には、ワイヤハーネスの端末（コネクタ）が取り付けられる。該ワイヤハーネスを構成する電線は、自動車に搭載される各種の電子機器と電気的に接続している。
【００３７】
配線盤は、箱本体１０内に収容されている。配線盤は、バスバー１３（一部のみ図示）と、絶縁板とを備えている。バスバー１３は、導電性の板金に打ち抜き加工などのプレス加工が施されて得られる。複数のバスバー１３は、互いに重ねられている。絶縁板は、互いに重ねられたバスバー１３間に配されている。絶縁板は、バスバー１３同士が意図しない箇所で相互に電気的に接続すること、即ち短絡することを防止するとともに、バスバー１３を位置決めしている。配線盤のバスバー１３は、予め定められたパターンにしたがって、前述したワイヤハーネスの各電線と前述したリレー１１、ヒューズ１２などの電気部品とを互いに電気的に接続する。なお、バスバー１３の図中に露出する部分は、特許請求の範囲に記載された他の部材をなしている。
【００３８】
また、箱本体１０の側壁１０Ａ，１０Ｂの近傍であって、互いに反対側の位置には、一対の端子接続部１４，１４が箱本体１０の天井壁から露出したバスバー１３から突設されている。即ち、側壁１０Ａ，１０Ｂの近傍であって、互いに反対側の位置に、一対の端子接続部１４，１４が設けられている。各端子接続部１４は、バスバー１３を貫通するボルトである。端子接続部１４は、該端子接続部１４に螺合したナット１５と、該端子接続部１４が貫通したバスバー１３との間に端子金具３０の電気接触部３２を挟み込んで、該端子金具３０の電気接触部３２とバスバー１３とを電気的に接続させる。
【００３９】
各端子接続部１４には、端子金具３０，３０の各電気接触部３１，３１がそれぞれ接続される。また、これら端子接続部１４，１４に対応して、箱本体１０の各側壁１０Ａ，１０Ｂには、切欠部１０ｂ，１０ｂがそれぞれ形成してある。切欠部１０ｂ，１０ｂは、それぞれ、側壁１０Ａ，１０Ｂの天井壁寄りの縁部を切り欠いている。各端子接続部１４に各端子金具３０の電気接触部３１が接続されたとき、各端子金具３０の電線接続部３２が、各切欠部１０ｂを介して、箱本体１０の外部（外側）に露出されるようになっている。なお、各端子金具３０の構成については後述する。
【００４０】
さらに、各端子接続部１４，１４に対応して、箱本体１０の各側壁１０Ａ，１０Ｂには、断面Ｌ字又は逆Ｌ字型の一対の壁部からなるカバー装着部１６が一体成形されている。カバー装着部１６は、断面Ｌ字又は逆Ｌ字型の各壁部によって、前述のカバー部材５０の本体部分を収容するための間隔を形成しているとともに、各側壁１０Ａ，１０Ｂとの間に摺動溝１６ａ，１６ａを形成している。これら摺動溝１６ａ，１６ａには、カバー部材５０の各摺動片５１，５１がスライド自在に嵌合される（侵入する）ようになっている。なお、カバー部材５０の構成については後述する。
【００４１】
各端子金具３０は、打ち抜いた金属板を折曲加工した構成となっており、電気接触部３１と電線接続部３２とを有している。電気接触部３１は、丸形板状となっており、中心に端子接続部１４の挿通孔３１ａが穿設してある。
【００４２】
各端子金具３０の挿通孔３１ａにボルトである端子接続部１４を挿通させた状態で、端子接続部１４にナット１５を締結することにより、各端子金具３０は、前述したバスバー１３に圧接されて電気的に接続される。また、各端子金具３０の電線接続部３２は、電気接触部３１から垂下方向に折曲連成され（連なり）、電線４０の芯線を剥き出しにした端末にかしめにより電気的に接続される。
【００４３】
各カバー部材５０は、箱本体１０に面する部分と底部とを開口させた略矩形箱状となっており、箱本体１０と同様に、絶縁性の合成樹脂からなり、周知の射出成形により成形される。各カバー部材５０は、前述した各カバー装着部１６に装着されることにより、箱本体１０の外部に露出された各端子金具３０の電線接続部３２を覆い隠す。
【００４４】
各カバー部材５０の両側には、一対の摺動片５１，５１が一体成形されており、各カバー装着部１６の摺動溝１６ａに沿ってスライド嵌合自在となっている。また、各カバー部材５０の本体部分には、一対の通し孔５２，５２が上下に二組設けてあり、この本体部分の内部に二本の結束バンド６０，６０を巻回することが可能となっている。
【００４５】
各結束バンド６０は、図１に示すように、矩形の頭部からバンド部を延出させた構成としてあり、バンド部の先端を、頭部に設けた貫通孔に通して、この貫通孔内に突出させた係止片（図示せず）をバンド部に設けた係止溝に係止させることにより、バンド部で巻回した電線４０を結束するようになっている。
【００４６】
詳述すると、結束バンド６０で電線４０をカバー部材５０の本体部分に固定するには、
カバー部材５０の本体部分外側から電線４０側に向けて、横並びに設けられた一方の通し孔５２に結束バンド６０のバンド部の先端を挿通させる。次いで、バンド部６０の先端が電線４０の周囲を回るようにして、電線４０側からカバー部材５０の本体部分外側へ向けて、他方の通し孔５２にバンド部の先端を挿通させる。そして、カバー部材５０の本体部分外側に引き出されたバンド部の先端を、結束バンド６０の頭部の貫通孔に挿通させる。そして、この貫通孔を通過したバンド部の先端を引っ張ることにより、電線４０がカバー部材５０の本体部分に固定される。
【００４７】
図２に示すように、これら結束バンド６０，６０によって、カバー部材５０の本体部分に電線４０を結束することにより、カバー部材５０の内側に端子金具３０が位置決め固定される。これにより、各摺動片５１を各摺動溝１６ａにスライド嵌合させたときに、端子金具３０の挿通孔３１ａと端子接続部１４との互いの中心軸がほぼ一致するようになっている。
【００４８】
前述した電気接続箱１は、以下のように組み立てられる。まず、箱本体１０内に前述した複数のバスバー１３及び絶縁板を組み付けた配電盤を収容し、リレー１１、ヒューズ１２及び端子接続部１４等などを装着する。
【００４９】
一方で、一対の結束バンド６０，６０を各カバー部材５０に挿通させて電線４０を結束することにより、各カバー部材５０に電線４０に取り付けられた端子金具３０が位置決め固定される。そして、各カバー部材５０の各摺動片５１を、箱本体１０の各摺動溝１６ａにスライド嵌合させる。これにより、各カバー部材５０が箱本体１０のカバー装着部１６に装着されるとともに、各端子金具３０の電気接触部３１の挿通孔３１ａに各端子接続部１４が挿通される。その後、各端子接続部１４にナット１５，１５を締結することにより、各端子金具３０の電気接触部３１が圧接され、各端子金具３０がバスバー１３に電気的に接続される。
【００５０】
最後に、箱本体１０に蓋体２０を覆い被せ、互いの係合部１０ａ，２０ａを係合させることにより、電気接続箱１が組み立てられる。このような電気接続箱１は、自動車に搭載され、自動車の電子機器と、リレー１１やヒューズ１２等の電気部品などとを、予め定められたパターンにしたがって互いに電気的に接続する。
【００５１】
本実施形態によれば、箱本体１０を形成する側壁１０Ａ〜１０Ｄのうちの互いに隣接していない一対の側壁１０Ａ，１０Ｂの近傍にそれぞれ端子接続部１４，１４を設けているので、これら端子接続部１４，１４を箱本体１０内における離れた位置に配置することができる。
【００５２】
これにより、端子接続部１４，１４に取り付けられる各端子金具３０の相互間の熱干渉を減少させることができる。また、箱本体１０の側壁１０Ａ，１０Ｂの近傍に各端子接続部１４を設けているので、これら端子接続部１４に各端子金具３０の電気接触部３１を接続したときに、各端子金具３０の電線接続部３２が箱本体１０の外側に露出する。これにより、各端子金具３０の熱を外部に放出することができ、各端子金具３０の発熱を低減することが可能となる。したがって、箱本体１０内での端子金具３０同士の熱干渉を効果的に防止できる。さらに、外部に露出した各端子金具３０の電線接続部３２をそれぞれカバー部材５０で覆うことにより、各端子金具３０と端子接続部１４の防水を図ることもできる。
【００５３】
また、図３に示すように、一対の端子接続部１４，１４を、箱本体１０の互いに対向する一対の側壁１０Ａ，１０Ｂの近傍であって、互いに反対側の位置に設けてあるので、各端子金具３０を箱本体１０内のより離れた位置に配置でき、互いの熱干渉をさらに低減することができる。
【００５４】
さらに、予めカバー部材５０に端子金具３０に取り付けた電線４０を固定することにより、カバー部材５０を箱本体１０にスライド嵌合させると同時に、端子金具３０の電気接触部３１を端子接続部１４に組み付けることができ、両者の組み付け作業が容易となる。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【００５６】
例えば、前述した実施形態では、各端子接続部１４を、箱本体１０の長辺を形成する側壁１０Ａ，１０Ｂの近傍に位置させたが、これに限定されるものではない。図４に示すように、箱本体１０の短辺を形成する側壁１０Ｃ，１０Ｄの近傍における、互いに反対側の位置に各端子接続部１４を設けた構成としてもよい。さらに、箱本体１０の平面形状が五角形以上の多角形に形成された場合には、端子接続部１４を互いに隣接していない（互いに間隔をあけて相対する）側壁１０Ａ〜１０Ｄの近傍に配置しても良い。
【００５７】
また、図示しないが、側壁１０Ａ，１０Ｂ又は１０Ｃ，１０Ｄの近傍における中央の位置に各端子接続部１４を設けた構成としてもよい。さらに、本発明では、箱本体１０に摺動片５１を設け、摺動溝１６ａをカバー部材５０に設けても良い。
【図面の簡単な説明】
【００５８】
【図１】本発明の一実施形態に係る電気接続箱の分解斜視図である。
【図２】図１に示された電気接続箱の組み立てた状態を示す部分断面側面図である。
【図３】図１に示された電気接続箱の蓋体及びカバー部材を省略した平面図である。
【図４】本発明の他の実施形態に係る電気接続箱の蓋体及びカバー部材を省略した平面図である。
【符号の説明】
【００５９】
１  電気接続箱
１０  箱本体
１０Ａ〜１０Ｄ  側壁
１０ａ  係止部
１０ｂ  切欠部
１１  リレー（電気部品）
１２  ヒューズ（電気部品）
１３  バスバー（他の部材）
１４  端子接続部（ボルト）
１５  ナット
１６  カバー装着部
１６ａ  摺動溝
２０  蓋部材
２０ａ  係止部
３０  端子金具
３１  電気接触部
３２  電線接続部
４０  電線
５０  カバー部材
５１  摺動片
５２  通し孔
６０  結束バンド
【図１】
2007189864.tif 000003
【図２】
2007189864.tif 000004
【図３】
2007189864.tif 000005
【図４】
2007189864.tif 000006